(57)【要約】【課題】  簡単な回路構成にて迅速に記録層を識別することが可能である多層構造の光ディスク及び当該光ディスクの記録層識別方法を提供する。【解決手段】  複数の記録層（１０、２０）を備え、各前記記録層（１０，２０）には、グルーブ（１２、２２）と、当該グルーブ（１２、２２）に隣接したランド（１４、２４）と、が夫々形成されており、更に各ランド（１４、２４）には、複数のランドプリピット（１８、２８）を夫々に含むランドプリピット群（１６、２６）が夫々に形成されている光ディスクである。各前記ランドプリピット群（１６、２６）を構成する前記ランドプリピット（１８、２８）の数が、一の前記記録層（１０、２０）内に形成されている当該ランドプリピット群（１６、２６）では同一であり、且つ異なる前記記録層（１０、２０）内に形成されている当該ランドプリピット（１８、２８）群間では相互に異なっている。【選択図】  図１
2006114158.tif 000002
【特許請求の範囲】
【請求項１】
複数の記録層を備え、各前記記録層には、グルーブと、当該グルーブに隣接したランドと、が夫々形成されており、更に各ランドには、複数のランドプリピットを夫々に含むランドプリピット群が夫々に形成されている光ディスクであって、
各前記ランドプリピット群を構成する前記ランドプリピットの数が、一の前記記録層内に形成されている当該ランドプリピット群では同一であり、且つ異なる前記記録層内に形成されている当該ランドプリピット群間では相互に異なっていることを特徴とする光ディスク。
【請求項２】
請求項１記載の光ディスク内に形成されている各前記記録層を相互に識別する記録層識別方法であって、
前記各記録層内の前記ランドプリピット群からの反射光に基づいて得られるプッシュプル信号に基づいて、異なる前記記録層内に形成されている前記ランドプリピット群間における前記ランドプリピットの数の相違分に相当する前記ランドプリピットの有無に基づいて、各前記記録層を相互に識別することを特徴とする記録層識別方法。
【請求項３】
請求項１記載の光ディスク内に形成されている各前記記録層を相互に識別する記録層識別装置であって、
前記各記録層内の前記ランドプリピット群からの反射光を受光して得られるプッシュプル信号に基づいて、異なる前記記録層内に形成されている前記ランドプリピット群間における前記ランドプリピットの数の相違分に相当する前記ランドプリピットの有無を検出する検出手段と、
前記検出された有無に基づいて、各前記記録層を相互に識別する識別手段と、
を備えることを特徴とする記録層識別装置。
【発明の詳細な説明】
【技術分野】
【０００１】
本願は、多層構造の光ディスク及び当該光ディスクの記録層識別方法に関し、より詳細には、少なくとも２層の記録層を備える多層構造の光ディスク及び当該光ディスクの記録層識別方法に関する。
【背景技術】
【０００２】
現在、光ディスクの大容量化を達成するために、２層の記録層が積層されている光ディスクが提案されている。この種の光ディスクでは、情報の記録再生の際に、記録再生に使用する光ビームのパワー等の各種のパラメータを各記録層に応じて設定する必要があり、このため、各記録層を識別する必要が生じる。そこで、光ディスクの第１記録層及び第２記録層には、それぞれ、当該第１記録層及び第２記録層を識別するための識別フォーマットが設けられており、この識別フォーマットを読取ることにより、記録層が第１記録層であるか第２記録層であるかを識別している。このように、従来の記録層識別方法では、記録層に設けられた識別フォーマットを読取る必要があるので、記録層の識別に時間が掛かるという問題がある。
【０００３】
先行技術として、特許文献１に記載された光ディスクの記録層識別方法がある。
【０００４】
この公報の記録層識別方法では、光ディスクの２層の記録層として第１層トラック及び第２層トラックが形成され、第１層トラックと第２層トラックは、ともにウォブルされ、該ウォブルの位相が途中で変化しており、この位相の変化量が各記録層で異なるように設定されている。従って、各記録層のトラックに施されたウォブルの位相変化量を検出することにより、記録層のトラックが第１層トラックであるか第２層トラックであるかを識別することができる。
【０００５】
【特許文献１】特開２００２−２７９６４７号公報
【０００６】
また、他の先行技術として、特許文献２に記載された光ディスクの記録層識別方法がある。
【０００７】
この公報の記録層識別方法では、２層構造の光ディスクの第１記録層及び第２記録層には、それぞれ、第１のアドレスマーク及び第２のアドレスマークが配置されており、光ディスクからの再生信号におけるアドレスマークのパターンの相違に基づいて、第１層記録層及び第２層記録層を識別する。
【０００８】
【特許文献２】特開２０００−２９３８８９号公報
【発明の開示】
【発明が解決しようとする課題】
【０００９】
上記特許文献１の公報に記載された記録層識別方法では、各記録層のトラックに施されたウォブルの位相変化量を検出する際に、各トラックのウォブル信号を検出し、当該ウォブルの位相変化量を求める必要がある。このように、各トラックのウォブル信号を検出して当該ウォブルの位相変化量を求めるのは、時間が掛かるので、記録層の識別に長時間を要するという問題がある。
【００１０】
また、上記特許文献２の公報に記載された記録層識別方法では、光ディスクから再生信号を求め、当該再生信号におけるアドレスマークのパターンの相違に基づいて、第１層トラック及び第２層トラックを識別する。このように、光ディスクから再生信号を求め、当該再生信号におけるアドレスマークのパターンの相違を求めるのは、時間が掛かるので、記録層の識別に長時間を要するという問題がある。
【００１１】
また、ＤＶＤ−Ｒディスクなどのように、未記録時にアドレスマークなどのＲＦ信号が得られない記録可能なディスクの場合には、未記録時に記録層の判別ができないという問題がある。
【００１２】
本願が解決しようとする課題には、上記した問題が一例として挙げられる。
【課題を解決するための手段】
【００１３】
請求項１に記載の発明は、複数の記録層を備え、各前記記録層には、グルーブと、当該グルーブに隣接したランドと、が夫々形成されており、更に各ランドには、複数のランドプリピットを夫々に含むランドプリピット群が夫々に形成されている光ディスクであって、各前記ランドプリピット群を構成する前記ランドプリピットの数が、一の前記記録層内に形成されている当該ランドプリピット群では同一であり、且つ異なる前記記録層内に形成されている当該ランドプリピット群間では相互に異なっていることを特徴とする。
【００１４】
請求項２に記載の発明は、請求項１記載の光ディスク内に形成されている各前記記録層を相互に識別する記録層識別方法であって、前記各記録層内の前記ランドプリピット群からの反射光に基づいて得られるプッシュプル信号に基づいて、異なる前記記録層内に形成されている前記ランドプリピット群間における前記ランドプリピットの数の相違分に相当する前記ランドプリピットの有無に基づいて、各前記記録層を相互に識別することを特徴とする。
【００１５】
請求項３に記載の発明は、請求項１記載の光ディスク内に形成されている各前記記録層を相互に識別する記録層識別装置であって、前記各記録層内の前記ランドプリピット群からの反射光を受光して得られるプッシュプル信号に基づいて、異なる前記記録層内に形成されている前記ランドプリピット群間における前記ランドプリピットの数の相違分に相当する前記ランドプリピットの有無を検出する検出手段と、前記検出された有無に基づいて、各前記記録層を相互に識別する識別手段と、を備えることを特徴とする。
【発明を実施するための最良の形態】
【００１６】
次に、本願を実施するための最良の形態について、図面に基づいて説明する。
【００１７】
図１には、本願の実施形態による光ディスクが示され、図１（Ａ）は、光ディスクの第１記録層を示し、図１（Ｂ）は、光ディスクの第２記録層を示す。
【００１８】
図１（Ａ）において、光ディスクの第１記録層１０は、グルーブ１２と、該グルーブ１２の両側に隣接したランド１４、１４と、を有する。グルーブ１２の両側のランド１４、１４のうち一方のランド１４には、ランドプリピット群１６が間欠的に形成されている。
【００１９】
ここで、第１記録層１０では、ランドプリピット群１６を構成するプリピット１８の数は、３個である。次に、図１（Ｂ）において、光ディスクの第２記録層２０は、グルーブ２２と、該グルーブ２２の両側に隣接したランド２４、２４と、を有する。グルーブ２２の両側のランド２４、２４のうち一方のランド２４には、ランドプリピット群２６が間欠的に形成されている。ここで、第２記録層２０では、前記第１記録層１０の場合と異なり、記録層識別用の４番目のプリピットが付加されているので、ランドプリピット群２６を構成するプリピット２８の数は、４個である。
【００２０】
このように、第１記録層１０及び第２記録層２０では、ランドプリピット群１６、２６を構成するプリピット１８、２８の数は、それぞれ、３個、４個に設定されている。従って、各記録層１０、２０のプリピット群１６、２６の４番目のピットの有無を検出することにより、第１記録層１０及び第２記録層２０を識別することができる。それゆえ、各記録層１０、２０のプリピット群１６、２６の４番目のピットの有無を検出するという簡単な構成により、各記録層１０、２０を識別することが可能である。
【００２１】
なお、図１（Ａ）及び（Ｂ）において、矢印Ａは、光ディスクの径方向を示し、矢印Ｂは、光ディスクに照射される光ビームの進行方向を示す。
【００２２】
図２には、本願の実施形態による光ディスクの記録層を識別する記録層識別方法が適用された装置が示されている。
【００２３】
図２において、スピンドルモータ３０の駆動シャフト３２には、ターンテーブル３４が取付けられ、該ターンテーブル３４には、光ディスク３６が載置されている。光ディスク３６の下方には、光ピックアップ３８が配置され、該光ピックアップ３８は、光ディスク３６に光ビームを照射し、該光ディスク３６からの反射光ビームに基づいて出力信号４０を信号処理回路４１に供給する。
【００２４】
図３には、上記図２の装置における光ピックアップ及び信号処理回路の詳細が示されている。
【００２５】
図２及び図３を参照すると、光ピックアップ３８は、光ディスク３６に光ビームを照射する照射部（図示せず）と、光ディスク３６からの反射光ビームを受光するフォトディテクタ３９と、を有する。前記フォトディテクタ３９は、４分割フォトディテクタであり、すなわち、フォトディテクタ３９は、４つのディテクタ部４２、４４、４６、及び４８から構成されている。なお、図３において、矢印Ｃは、光ディスクの径方向を示し、符号Ｄは、光ディスクに照射される光ビームのスポット５４の進行方向を示す。また、光ビームのスポット５４は、光ディスクの記録層のグルーブ及び該グルーブの両側に隣接した２つのランドに照射されるように設定されている。すなわち、光ビームのスポット５４は、図１（Ａ）の第１記録層１０の場合にはグルーブ１２及びその両側のランド１４、１４に照射されるように設定され、同様に、図１（Ｂ）の第２記録層２０の場合にはグルーブ２２及びその両側のランド２４、２４に照射されるように設定されている。
【００２６】
図３において、フォトディテクタ３９の４つのディテクタ部４２、４４、４６、及び４８からは、それぞれ、出力信号５６、５８、６０、及び６２が出力され、これらの４つの出力信号５６、５８、６０、及び６２は、図２においては１つの出力信号４０としてまとめて示されている。前記信号処理回路４１は、３つの加算器６４、６６、及び６８と、１つの減算器７０と、を含み、前記ディテクタ部４２、４６からの出力信号５６、６０は、加算器６４に供給され、前記ディテクタ部４４、４８からの出力信号５８、６２は、加算器６６に供給される。前記加算器６４、６６からの出力信号７２、７４は、加算器６８及び減算器７０に供給され、加算器６８からのＲＦ信号７６は、各種の回路（図示せず）に供給される。また、減算器７０からのサーボ信号すなわちプッシュプル信号７８は、後述するように、光ディスクの記録層を識別するのに使用される。
【００２７】
図４には、光ディスクとして２層構造のＤＶＤ−Ｒ（未記録）を使用した場合の図３の信号処理回路からの出力信号の波形、すなわち、トラッキングサーボクローズ時の信号波形が示されている。図４（Ａ）は、ＲＦ信号の波形を示し、図４（Ｂ）及び（Ｃ）は、プッシュプル信号の波形を示しており、すなわち、図４（Ｂ）は、光ディスクの第１記録層に基づくプッシュプル信号の波形を示し、図４（Ｃ）は、光ディスクの第２記録層に基づくプッシュプル信号の波形を示す。
【００２８】
まず、２層構造のＤＶＤ−Ｒが未記録の場合には、図４（Ａ）に示されるように、信号処理回路４１からのＲＦ信号７６は、光ディスクの第１記録層及び第２記録層の間で相違がないので、該ＲＦ信号７６に基づいて第１記録層及び第２記録層を識別することはできない。
【００２９】
次に、信号処理回路４１からのプッシュプル信号７８について検討すると、図１（Ａ）及び（Ｂ）に示されているように、光ディスクの第１記録層１０のランドプリピット群１６を構成するプリピット１８の数は、３個であり、一方、光ディスクの第２記録層２０のランドプリピット群２６を構成するプリピット２８の数は、４個である。それゆえ、図４（Ｂ）に示されるように、光ディスクの第１記録層に基づくプッシュプル信号７８は、３つのプリピットに対応した３つのピーク８０、８０、及び８０を有し、一方、図４（Ｃ）に示されるように、光ディスクの第２記録層に基づくプッシュプル信号７８は、４つのプリピットに対応した４つのピーク８２、８２、８２、及び８２を有する。このように、図４（Ｂ）の波形では、４番目のビットに対応するピークが検出されないので、当該波形に対応する記録層は、第１記録層であると識別され、一方、図４（Ｃ）の波形では、４番目のビットに対応するピークが検出されるので、当該波形に対応する記録層は、第２記録層であると識別される。
【００３０】
なお、光ディスクの各記録層１０、２０のランドプリピット群１６、２６を構成するプリピット１８、２８に基づくプッシュプル信号７８の波形のピークを求める構成としては、プッシュプル信号７８の振幅を所定の閾値Ｓ（図４（Ｂ）及び（Ｃ）参照）と比較することにより、簡単な構成にて迅速にプッシュプル信号７８の波形のピークを求めることができる。
【００３１】
次に、図５には、本願の実施形態による光ディスクにおけるランドプリピットの割当てが示されており、図５（Ａ）は、第１記録層における３つのランドプリピットの割当てを示し、図５（Ｂ）は、第２記録層における４つのランドプリピットの割当てを示す。
【００３２】
図５（Ａ）における第１記録層のｂ２乃至ｂ０と図５（Ｂ）における第２記録層のｂ３乃至ｂ１とは、偶数位置におけるプリピット同期コード、奇数位置におけるプリピット同期コード、プリピットデータ＝１ｂ、及びプリピットデータ＝０ｂに関し、同じパターンを有するが、図５（Ｂ）に示されるように、第２記録層では、層識別用のビットｂ０が設定されている。
【００３３】
２層構造の光ディスクの場合、図５（Ａ）における第１記録層のｂ２乃至ｂ０と図５（Ｂ）における第２記録層のｂ３乃至ｂ１の３ビットの組合せにより、同期、“０”、及び“１”を示している。そこで、第１記録層及び第２記録層について、記録層識別用の第４番目のビットを設定し、当該記録層識別用の第４番目のビットの有無すなわち“１”あるいは“０”に基づいて、第１記録層及び第２記録層を識別することができる。すなわち、本願の実施形態では、図５（Ｂ）に示されるように、第２記録層では、記録層識別用の第４番目のビットが常に“１”に設定され、一方、図５（Ａ）に示されるように、第１記録層では、記録層識別用の第４番目のビットが常に“０”に設定されており、当該記録層識別用の第４番目のビットが“１”であるかあるいは“０”であるかに基づいて、第１記録層及び第２記録層を識別することができる。
【００３４】
以上のように、本願の実施形態においては、各記録層の記録層識別用のランドプリピットの有無に基づいて、記録層を識別するので、ランドプリピットに記録されているアドレスデータをデコードして記録層を識別する場合と比較して、簡単な回路構成にて迅速に記録層を識別することが可能である。すなわち、ランドプリピットに記録されているアドレスデータをデコードする場合には、ＲＦ信号に基づいてアドレスデータをデコードするために、複雑な回路による長時間の処理が必要とされるが、本願の実施形態では、プッシュプル信号の振幅を所定の閾値と比較し、記録層識別用のランドプリピットの有無を検出し、当該検出信号に基づいて、記録層を識別するので、簡単な回路構成にて迅速に記録層を識別することが可能である。
【図面の簡単な説明】
【００３５】
【図１】本願の実施形態による光ディスクを示し、図１（Ａ）は、光ディスクの第1記録層を示し、図１（Ｂ）は、光ディスクの第２記録層を示す。
【図２】本願の実施形態による光ディスクの記録層を識別する記録層識別方法が適用された装置を示す。
【図３】図２の装置における光ピックアップ及び信号処理回路の詳細を示す回路図である。
【図４】光ディスクとして２層構造のＤＶＤ−Ｒ（未記録）を使用した場合の図３の信号処理回路からの出力信号の波形図であり、図４（Ａ）は、ＲＦ信号の波形を示し、図４（Ｂ）は、光ディスクの第１記録層に基づくプッシュプル信号の波形を示し、図４（Ｃ）は、光ディスクの第２記録層に基づくプッシュプル信号の波形を示す。
【図５】本願の実施形態による光ディスクにおけるランドプリピットの割当てを示し、図５（Ａ）は、第１記録層における３つのランドプリピットの割当てを示し、図５（Ｂ）は、第２記録層における４つのランドプリピットの割当てを示す。
【符号の説明】
【００３６】
１０  第１記録層
１２  グルーブ
１４  ランド
１６  ランドプリピット群
１８  ランドプリピット
２０  第２記録層
２２  グルーブ
２４  ランド
２６  ランドプリピット群
２８  ランドプリピット
３８  光ピックアップ
３９  フォトディテクタ
４１  信号処理回路
【図１】
2006114158.tif 000003
【図２】
2006114158.tif 000004
【図３】
2006114158.tif 000005
【図４】
2006114158.tif 000006
【図５】
2006114158.tif 000007